(57)【要約】      （修正有）【課題】簡単に折り畳み収納でき、携帯も可能な靴底を提供する。【解決手段】靴底は、相互に重ね合わせる上層部１１と下層部１２とを含む。上層部は使用時に人体の足の裏に向き、下層部は使用時に地面を向き、下層部は、第一片体１２１と第二片体１２２と第三片体１２３を含む。地面の方からみると、第一片体は三角形であり、その三角形の一つの夾角は、足の裏の外側方向から内側方向に広がる。第二片体と第三片体のそれぞれの一辺と、夾角を形成する第一片体の二辺の各一辺とで等間隔の折り畳みを可能とする溝部１２４，１２５を形成する。【選択図】図２
0003187735.tif 000002
【実用新案登録請求の範囲】
【請求項１】
相互に重ね合わせる上層部と下層部を含む簡単に折り畳み収納できる靴底であって、
前記上層部は、使用時に人体の足の裏に向き、前記下層部は、使用時に地面を向き、下層部は、第一片体と第二片体と第三片体を含み、地面の方からみると、前記第一片体は三角形であり、その三角形の一つの夾角は、使用者が着用した場合、足の裏の外側方向から内側方向に広がり、前記第二片体と前記第三片体のそれぞれの一辺と、夾角を形成する第一片体の二辺のうちの各一辺とで等間隔の溝部を形成することを特徴とする簡単に折り畳み収納できる靴底。
【請求項２】
前記下層部は、人体のかかとに対応させる、かかとパッドを設置することを特徴とする請求項１に記載の簡単に折り畳み収納できる靴底。
【請求項３】
前記第一片体、第二片体、及び第三片体の同一側を共に媒介層に連接させ、媒介層と上層部とを密着させることを特徴とする請求項１に記載の簡単に折り畳み収納できる靴底。
【考案の詳細な説明】
【技術分野】
【０００１】
本考案は、履き物の付属部品に関し、特に、製作後の履き物を簡単に折り畳み収納できる靴底を提供する。
【背景技術】
【０００２】
履き物の基本機能は人体の足を保護することにあるため、履き物は基本的に、足の裏と地面が直接接触し摩擦するのを防ぐ靴底を含み、異なるタイプと機能に応じて、靴底を基礎として異なる履き物を製作する。
【０００３】
靴底は履き物の基礎構造であるため、履き物を収納する際は通常、靴底の形状によって制限を受ける。言い換えると、先行技術の靴底の全体は、非常に大きな平面を有するのが普通であり、履き物を折り畳んで収納し、バッグに入れて外出時に携帯し、履き物を履きかえる際は、折り曲げることが難しく、無理矢理に折り曲げると変形してしまうこともある。尚、外出時に携帯して履きかえる履き物は、ビーチサンダル、カジュアルサンダル、ゴムサンダル、カジュアルシューズ等の気軽に履く履き物類を含むがこれに制限されるものではない。
【考案の概要】
【考案が解決しようとする課題】
【０００４】
本考案は、先行技術の問題点に鑑み、本考案人は構造を改善するべきであると考え、簡単に折り畳み収納できる靴底を設計した。
【課題を解決するための手段】
【０００５】
本考案の靴底は、相互に重ね合わせる上層部と下層部を含む。上層部は使用時に人体の足の裏に向き、下層部は使用時に地面を向く。また、下層部は、第一片体と第二片体と第三片体を含む。地面の方からみると、前記第一片体は三角形であり、その三角形の一つの夾角は、使用者が着用した場合、足の裏の外側方向から内側方向に広がる。第二片体と第三片体のそれぞれの一辺と、夾角を形成する第一片体の二辺の各一辺とで等間隔の溝部を形成する。
【０００６】
本考案の靴底は、折り畳み収納と携帯に利便を図るため、製作された履き物は、収納後のサイズを小さくでき、折り畳み収納に利便を図るもので、バッグに入れて外出時に携帯し、履き替えが便利に行なえる。しかも、本考案の靴底は、異なるタイプと機能を組み合わせることが可能であり、異なる保持部（例えば靴紐）の製作に応じて、ビーチサンダル、カジュアルサンダル、ゴムサンダル、カジュアルシューズ等の様々なタイプの軽便な履き物にすることができる。また、本考案は二層式を採用している。即ち、上層部及び下層部であり、よって、溝部は特別にくり貫く必要はなく、下層部の第二片体と第三片体のそれぞれ一辺と第一片体の両辺の各一辺によって間隔をあけた溝部を形成するだけでよい。しかも、上層部を壊さずに、着用者の足底が接触する際に快適感をもたらすことができる。
【考案の効果】
【０００７】
本考案の靴底は、製作後の履き物を簡単に折り畳み収納できる効果を有する。
【図面の簡単な説明】
【０００８】
【図１】本考案は上層部の上面斜視立体図である。
【図２】本考案は下層部の背面斜視立体図である。
【図３】本考案を折り畳む際の第一動作を示す立体図である。
【図４】本考案を折り畳む際の第二動作を示す立体図である。
【図５】履き物に応用した本考案の立体図である。
【図６】図５の履き物を折り畳み収納した状態を示す立体図である。
【図７】本考案のもう一つの実施例の上面斜視立体図である。
【図８】本考案のもう一つの実施例の背面斜視立体図である。
【考案を実施するための形態】
【０００９】
貴庁の審査委員の方々に本考案をさらにご理解して頂くために、次に、図面を組み合わせて、本考案の構造、特徴、及び実施例についての説明を行なう。
【実施例】
【００１０】
図１及び図２に示すとおり、本考案は簡単に折り畳み収納できる靴底１に関する。靴底１は、相互に重ね合わせる上層部１１と下層部１２を含む。上層部１１は使用時に人体の足の裏に向き、下層部１２は使用時に地面を向く。
【００１１】
下層部１２は第一片体１２１と第二片体１２２と第三片体１２３を含む。地面の方からみると、第一片体１２１は三角形であり、その三角形の一つの夾角は、使用者が着用した場合、足の裏の外側方向から内側方向に広がる。第二片体１２２と第三片体１２３のそれぞれの一辺と、夾角を形成する第一片体１２１の二辺の各一辺とで等間隔の溝部１２４と溝部１２５を形成する。
【００１２】
図３及び図４には、本考案の第二片体１２２と重ね合わせた上層部１１の一部分は溝部１２４箇所から第一段階の折り曲げを行なう。その後、本考案の第二片体１２２とそれに重ね合わせた上層部１１の一部分、及び第一片体１２１とそれに重ね合わせた上層部１１の一部分を溝部１２５箇所から第二段階の折り曲げを行なう。以上のとおり、本考案は二回の折り曲げを行い収納する。
【００１３】
図２において、下層部１２に人体のかかとに対応させる、かかとパッド１２６を設置してもよい。これはかかとの緩衝作用を提供するものである。
【００１４】
図５は、上層部１１に保持部２を組み合わせた本考案の靴底１を示す。尚、保持部２の形式、タイプは何れかに限定されないものであり、図中のリボン形態としてもよく、或いは足の裏を固定し支える何れかの補助具としてもよく、これにより、軽量で便利な履き物Ａが形成され、ビーチサンダル、カジュアルサンダル、ゴムサンダル、カジュアルシューズ等の気軽に履ける履き物Ａとしても幅広く応用できる。
【００１５】
図６には、図３及び図４に基づいて履き物Ａの靴底１を折り畳み収納する状態において、履き物Ａもまた折り畳み収納が便利に行なえることを示した。
【００１６】
全体的にみた本考案の特徴を次に示す。
１.本考案の靴底１は、収納及び携帯に便利であり、製作された履き物Ａは、収納後のサイズを小さくでき、収納に利便を図るもので、バッグに入れて外出時に携帯し、履き替えが便利に行なえる。収納後のサイズが小さな履き物Ａをバッグに入れる前に、先ず折り畳み収納可能な袋に入れて、履き物Ａがその他物品を汚すのを防ぐことも可能であり、袋から履き物Ａを取り出した時、履き替えたその他の履き物をその袋にしまうことも可能である。
２.本考案の靴底１は異なるタイプ及び機能を組み合わせることも可能であり、異なる保持部２製作に応じられるため、本考案は、様々なタイプのビーチサンダル、カジュアルサンダル、ゴムサンダル、カジュアルシューズ等の軽便な履き物に応用可能である。
３.本考案は二層式を採用している。即ち、上層部１１及び下層部１２である。よって、溝部１２４及び溝部１２５は特別にくり貫く必要はなく、下層部１２の第二片体１２２と第三片体１２３のそれぞれ一辺と第一片体１２１の両辺の各一辺によって間隔をあけた溝部１２４及び溝部１２５を形成するだけでよい。しかも、上層部１１を壊さずに、着用者の足底が接触する際に快適感をもたらすことができる。
【００１７】
図７及び図８は、もう一つの実施例の立体図を示す。第一片体１２１、第二片体１２２、第三片体１２３の同一側を共に媒介層１２７に連接させ、媒介層１２７と上層部１１を密着させる。作業時にばらばらになるのを防ぐため、第一片体１２１、第二片体１２２、第三片体１２３を最初に連接して一体化することも可能である。
【００１８】
前述したとおり、本考案は確実に産業利用性を有し、出願前に刊行物や公開使用されているものはなく、また、公然知られたものではなく、しかも、容易に成し遂げられない技術である。よって、実用新案の要件に符号するものとして、ここに特許法に基づき出願を行う。前述は、本考案の属する産業においての好ましい実施例であるが、本考案の実用新案登録請求の範囲に基づいてなされた同等の変化は全て、本考案が保護を求める範囲に属するものとする。
【符号の説明】
【００１９】
Ａ  履き物
１  靴底
１１  上層部
１２  下層部
１２１  第一片体
１２２  第二片体
１２３  第三片体
１２４  溝部
１２５  溝部
１２６  かかとパッド
１２７  媒介層
２  保持部
【図１】
0003187735.tif 000003
【図２】
0003187735.tif 000004
【図３】
0003187735.tif 000005
【図４】
0003187735.tif 000006
【図５】
0003187735.tif 000007
【図６】
0003187735.tif 000008
【図７】
0003187735.tif 000009
【図８】
0003187735.tif 000010